(57)【特許請求の範囲】
【請求項１】
複数のセクタを含むセルを複数個含む移動通信システムで使用されるユーザ装置であって、
同期チャネルを含む信号を受信する手段と、
前記同期チャネルから一次同期チャネル及び二次同期チャネルを抽出し、セルサーチを行う手段と、
前記セルサーチにおける時間方向の平均化時間を設定する条件に基づいて、前記セルサーチにおける相関検出時間を制御する手段と
を備え、
前記条件には、セルサーチ情報、基地局運用情報、及びセルサーチ段階情報の少なくとも１つが含まれることを特徴とするユーザ装置。
【請求項２】
請求項１に記載のユーザ装置において、
前記条件には、セルサーチ試行回数情報、受信ＳＩＮＲ情報、最大ドップラー周波数、遅延スプレッド情報及び周辺セルリスト情報の少なくとも１つが含まれることを特徴とするユーザ装置。
【請求項３】
請求項１又は２に記載のユーザ装置において、
前記制御する手段は、複数のサブフレームを含む無線フレームを単位として、相関検出時間を制御することを特徴とするユーザ装置。
【請求項４】
請求項１ないし３のいずれか１項に記載のユーザ装置において、
前記セルサーチを行う手段は、前記一次同期チャネルを抽出する場合に、３種類以下の異なる系列を含んで構成される同期信号のレプリカを生成し、該同期信号のレプリカと、受信したマルチキャリア信号との相関検出を行うことを特徴とするユーザ装置。
【請求項５】
請求項１ないし４のいずれか１項に記載のユーザ装置において、
前記セルサーチを行う手段は、前記二次同期チャネルを抽出する場合に、セルＩＤの集合と無線フレームタイミングにより決定される複数の二次同期チャネル系列と、前記受信したマルチキャリア信号との相関検出を行うことを特徴とするユーザ装置。
【請求項６】
複数のセクタを含むセルを複数個含む移動通信システムで使用されるユーザ装置におけるセルサーチ方法であって、
同期チャネルを含む信号を受信するステップと、
セルサーチにおける時間方向の平均化時間を設定する条件に基づいて、前記セルサーチにおける相関検出時間を制御するステップと、
前記制御するステップにおける制御に従って、前記同期チャネルから一次同期チャネル及び二次同期チャネルを抽出し、セルサーチを行うステップと
を有し、
前記条件には、セルサーチ情報、基地局運用情報、及びセルサーチ段階情報の少なくとも１つが含まれることを特徴とするセルサーチ方法。
【発明の詳細な説明】
【技術分野】
【０００１】
本発明は、下りリンクにおいて直交周波数分割多重ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）を適用する無線通信システムに関し、特にユーザ装置及びセルサーチ方法に関する。
【背景技術】
【０００２】
Ｗ−ＣＤＭＡやＨＳＤＰＡの後継となる通信方式、すなわちロングタームエボリューション（ＬＴＥ：Ｌｏｎｇ  Ｔｅｒｍ  Ｅｖｏｌｕｔｉｏｎ）が、Ｗ−ＣＤＭＡの標準化団体３ＧＰＰにより検討され、無線アクセス方式として、下りリンクについてはＯＦＤＭ、上りリンクについてはＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が検討されている（例えば、非特許文献１参照）。
【０００３】
ＯＦＤＭは、周波数帯域を複数の狭い周波数帯域（サブキャリア）に分割し、各周波数帯上にデータを載せて伝送を行う方式であり、サブキャリアを周波数上に、一部重なりあいながらも互いに干渉することなく密に並べることで、高速伝送を実現し、周波数の利用効率を上げることができる。
【０００４】
ＳＣ−ＦＤＭＡは、周波数帯域を分割し、複数の端末間で異なる周波数帯域を用いて伝送することで、端末間の干渉を低減することができる伝送方式である。ＳＣ−ＦＤＭＡでは、送信電力の変動が小さくなる特徴を持つことから、端末の低消費電力化及び広いカバレッジを実現できる。
【０００５】
尚、ＬＴＥにおいては、ＯＦＤＭにおいて、遅延波によるシンボル間干渉の影響を軽減するためのＣｙｃｌｉｃ  Ｐｒｅｆｉｘ（ＣＰ）として、Ｌｏｎｇ  ＣＰとＳｈｏｒｔ  ＣＰという長さの異なる２種類のＣＰが用意されている。例えば、Ｌｏｎｇ  ＣＰはセル半径の大きいセルで、また、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）信号送信時に適用され、Ｓｈｏｒｔ  ＣＰはセル半径の小さいセルで適用される。Ｌｏｎｇ  ＣＰを適用した場合、１スロット内のＯＦＤＭシンボル数は６であり、Ｓｈｏｒｔ  ＣＰを適用した場合、１スロット内のＯＦＤＭシンボル数は７である。
【０００６】
ところで、一般に、Ｗ−ＣＤＭＡやＬＴＥ等を用いた無線通信システムにおいて、移動局は、電源立ち上げ時、待ち受け中、通信中、あるいは、通信中の間欠受信時等において、同期信号などに基づいて、自局にとって無線品質が良好なセルを検出しなければならない。このプロセスを、無線リンクを接続すべきセルを探すという意味で、セルサーチと呼ぶ。セルサーチ方法は、一般に、セルサーチに要する時間、及び、セルサーチを行う際の移動局の処理負荷に基づいて決定される。すなわち、上記セルサーチの方法は、セルサーチに要する時間が短く、かつ、セルサーチを行う際の移動局の処理負荷が小さいような方法でなければならない。
【０００７】
Ｗ−ＣＤＭＡにおいては、Ｐｒｉｍａｒｙ  ＳＣＨ（Ｐ−ＳＣＨ）とＳｅｃｏｎｄａｒｙ  ＳＣＨ（Ｓ−ＳＣＨ）という２種類の同期信号を用いてセルサーチが行われており、ＬＴＥにおいても、同様に、セルサーチにＰ−ＳＣＨとＳ−ＳＣＨの２種類の同期信号を用いることが検討されている。
【０００８】
例えば、セルサーチの方法として、５ｍｓに１回の時間間隔で、１つの系列を有するＰ−ＳＣＨと、複数の系列を有するＳ−ＳＣＨを送信するセルサーチ方法が検討されている（非特許文献２）。上記方法においては、Ｐ−ＳＣＨにより、各セルからの下りリンクの受信タイミングが特定され、同じスロットに送信されるＳ−ＳＣＨにより、受信フレームタイミングの検出とセルＩＤもしくはセルのグループ(Group  ID)等のセル固有の情報が特定される。ここで、上記Ｓ−ＳＣＨの復調・復号には、一般に、上記Ｐ−ＳＣＨから求まるチャネル推定値を用いることが可能である。そして、セルＩＤのグループ化を行う場合には、その後、検出されたセルのGroup  IDに属するセルＩＤの中から、当該セルのIDを検出する。例えば、セルのIDは、パイロット信号の信号パターンに基づいて算出される。また、例えば、セルのIDは、上記Ｐ−ＳＣＨおよび上記Ｓ−ＳＣＨの復調・復号に基づいて算出される。あるいは、セルＩＤのグループ化を行わずに、Ｓ−ＳＣＨの情報要素として、セルのＩＤが含まれていてもよい。この場合、移動局は、Ｓ−ＳＣＨを復調・復号した時点でセルのＩＤを検出することができる。
【０００９】
しかしながら、上記セルサーチの方法を適用した場合、各セルからの信号が同期している局間同期システムにおいては、複数のセルから同じ系列で送信されるＰ−ＳＣＨから求まるチャネル推定値に基づいて、複数のセルから異なる系列で送信されるＳ−ＳＣＨを復調・復号することが生じるため、Ｓ−ＳＣＨの伝送特性が劣化するという問題点がある。ここで、伝送特性は、例えば、セルサーチに要する時間も含む。尚、各セルからの信号が同期していない局間非同期システムの場合は、複数のセルから送信されるＰ−ＳＣＨの系列の受信タイミングが、複数のセルの間で異なるため、上記のような問題は生じない。
【００１０】
上述したような、局間同期システムにおけるＳ−ＳＣＨの特性劣化を防ぐために、Ｐ−ＳＣＨの系列数を１から２以上の数、例えば、３か７にするセルサーチの方法が検討されている（非特許文献３）。あるいは、上述したような、局間同期システムにおけるＳ−ＳＣＨの特性劣化を防ぐために、Ｐ−ＳＣＨをセル毎に異なる送信間隔で送信する方法が提案されている（非特許文献４）。上記方法においては、Ｓ−ＳＣＨの復調・復号において、複数のセルからの受信タイミングが異なるＰ−ＳＣＨを用いることができるため、上述したＳ−ＳＣＨの特性劣化を防ぐことが可能となる。
【００１１】
ところで、上述した、非特許文献３におけるＰ−ＳＣＨの系列数や非特許文献４におけるＰ−ＳＣＨの送信間隔の種類は、セル設計の観点からは、多ければ多いほど良いと考えられる。というのは、上記Ｐ−ＳＣＨの系列数やＰ−ＳＣＨの送信間隔の種類が少ない場合、隣り合うセルでＰ−ＳＣＨの系列が同じになる確率、あるいは、Ｐ−ＳＣＨの送信間隔が同じになる確率が高くなり、局間同期システムにおけるＳ−ＳＣＨの特性劣化が生じる確率が高くなるからである。
【００１２】
また、上述したセルサーチに要する時間、すなわち、セルサーチの伝送特性と、セルサーチを行う際の移動局の処理負荷は、トレードオフの関係にあり、パラメータの設定、あるいは、運用方法により、セルサーチの伝送特性を重要視するか、セルサーチを行う際の移動局の処理負荷を重要視するかを選択できることが望ましい。
【非特許文献１】3GPP  TR  25.814  (V7.0.0),  "Physical  Layer  Aspects  for  Evolved  UTRA,"  June  2006
【非特許文献２】R1-062990,  Outcome  of  cell  search  drafting  session
【非特許文献３】R1-062636,  Cell  Search  Performance  in  Tightly  Synchronized  Network  for  E-UTRA
【非特許文献４】R1-070428,  Further  analysis  of  initial  cell  search  for  Approach  1  and  2  -  single  cell  scenario
【非特許文献５】3GPP  TS  36.211  V1.0.0(2007-03)
【非特許文献６】3GPP  R1-060042   SCH Structure and Cell Search Method in E-UTRA Downlink
【非特許文献７】3GPP  R1-071584  Secondary Synchronization Signal Design
【非特許文献８】3GPP  R1-071794
【非特許文献９】永田  聡、外４名、"ＯＦＤＭ無線アクセスを用いるＥｖｏｌｖｅｄ  ＵＴＲＡにおける同期チャネルの評価"、２００７年７月、ＲＣＳ研究会
【非特許文献１０】C.  Chu,  "Polyphase  codes  with  good  periodiccorrelation  properties,"IEEE  Trans.  Inform.  Theory,  vol.  II-18,  pp.531-532,  July  1972
【非特許文献１１】R.L.Frank  and  S.A.Zadoff,  "Phase  shift  pulse  codes  with  good  periodic  correlation  properties,  "IRE  Trans.  Inform.  Theory,  vol.  IT-8,  pp.  381-382,  1962.
【非特許文献１２】M.J.E.  Golay,  "Complementary  Series,"  IRE  Trans.  Inform.  Theory,  vol.  7,  pp.  82-87,  April  1961
【非特許文献１３】3GPP,  R1-062487  Hierarchical  SCH  signals  suitable  for  both  (FDD  and  TDD)  modes  of  E-UTRA
【非特許文献１４】3GPP,  R1-070146,  S-SCH  Sequence  Design
【非特許文献１５】3GPP,  R1-072093,  Details on SSC Sequence Design
【非特許文献１６】3GPP,  R1-072661，  Scrambling Method for Two S-SCH Short Code
【発明の開示】
【発明が解決しようとする課題】
【００１３】
しかしながら、上述した背景技術には以下の問題がある。
【００１４】
上述したように、同期チャネル（SCH：  Synchronization  Channel）は、セルサーチに使用される下りリンクのシグナリングである。この同期チャネルには、階層型SCHの適用が決定されている（例えば、非特許文献５参照）。すなわち、プライマリ同期チャネル（Primary  SCH）とセカンダリ同期チャネル（Secondary  SCH）の２のサブチャネルにより構成される。
【００１５】
このプライマリ同期チャネルとセカンダリ同期チャネルのうち、セカンダリ同期チャネルでは、セルIDグループ、無線フレームタイミング、送信アンテナ数情報などのセル固有の情報が通知される。ユーザ装置は、セカンダリ同期チャネルの系列の検出を行うことにより、セル固有の情報の検出を行う。
【００１６】
上述したように、Ｗ−ＣＤＭＡ（Wideband  Code  Division  Multiple  Access）方式では、ハンドオーバが行われる場合に周辺セルサーチが行われるが、この周辺セルサーチに先だって、近隣セルのセル固有情報（周辺セル情報）が予めユーザ装置に通知される。通信中や待ち受け時において、ハンドオーバ先となるセルを検出する周辺セルサーチでは、周辺セル情報などが予め通知される場合には、検出すべきセル固有情報の候補数を減少させることが可能である。しかし、LTEシステムでは、このような周辺セル情報が通知されるか否かは今のところ詳細には決定されていない。
【００１７】
セカンダリ同期チャネル系列のマッピング方法として、周波数方向に異なる系列をマッピングする方法が提案されている（例えば、非特許文献６、非特許文献７参照）。例えば、図１に示すように直交系列１（P1(0)，P1(1)，・・・，P1(31)）と、直交系列２（P2(0)，P2(1)，・・・，P2(31)）とが１サブキャリアおきに交互にマッピングされてもよい。また、例えば、図２に示すように直交系列１（P1(0)，P1(1)，・・・，P1(31)）と、直交系列２（P2(0)，P2(1)，・・・，P2(31)）とが連続するサブキャリアにマッピングされてもよい。このように系列を複数に分けることにより、送信できるパターン数を増大させることができる。具体的には、例えば系列長６４の系列1種類を用いる場合には、６４種類のパターン数を送信可能であるのに対し、図２に示すように系列長３２の２種類の系列を用いる場合には、１０２４種類のパターン数を送信可能となる。
【００１８】
これまで、同期チャネルの系列としては、Ｐ−ＳＣＨについては、複数、例えば、３種類のZadoff-Chu系列を用いること、Ｓ−ＳＣＨについては、バイナリ系列を使用すること、この系列は２種類のショートコードの組み合わせであることが決定されている（例えば、非特許文献５及び８参照）。
【００１９】
このようなＳ−ＳＣＨ系列を用いた場合、特に１．２５ＭＨｚのシステムにおいて、ＰＡＰＲ（peak-to-average  power  ratio）が増大するおそれのあることも知られている。
【００２０】
また、セルサーチにおいて、セルサーチ各段階の時間領域の平均化処理を行うことにより、セル検出確率を改善することが可能であることも知られている（例えば、非特許文献９参照）。例えば、第１段階、すなわちＰ−ＳＣＨの系列の検出処理では、例えば相関値を複数無線フレームに渡って電力平均する。このようにすることにより、受信レベルの変動を低減できるため、検出確率を改善できる。また、例えば、第２段階、すなわちＳ−ＳＣＨ系列の検出処理では、例えばＳ−ＳＣＨの各符号の相関値を複数無線フレームに渡って同相加算平均する。このようにすることにより、Ｓ−ＳＣＨの検出確率を改善できる。ここで、Ｓ−ＳＣＨの検出確率には、無線フレームタイミングの検出確率及びセルＩＤグループの検出確率が含まれる。
【００２１】
また、Ｐ−ＳＣＨとＳ−ＳＣＨは同じ１ｍｓのサブフレームの中で送信され、Ｐ−ＳＣＨ及びＳ−ＳＣＨを含むサブフレームは５ｍｓ毎に生じる。言い換えれば同期チャネルは５ｍｓ毎に送信される。ユーザ装置はセクタ毎に異なるＰ−ＳＣＨを受信することで在圏セクタでのチャネル推定値を求め、そのチャネル推定値に基づいて、セル毎に異なるＳ−ＳＣＨのチャネル補償を行い、Ｓ−ＳＣＨを復調することでセルサーチを行う。本願では混乱のおそれがなければ「セル」及び「セクタ」は同義的に使用されるが、必要に応じて、「セル」は複数の「セクタ」を含む意味に使用される。各セルからの信号が同期している局間同期システムにおいては、移動局は複数のセルから、信号を同時に受信する。同一基地局に属するセクタ境界付近のユーザは、セクタ毎に異なるＰ−ＳＣＨを受信するのでセクタを判別できるが、各セクタからのＳ−ＳＣＨは共通するので、Ｓ−ＳＣＨは両セクタからの合成信号として受信される。このＳ−ＳＣＨを在圏セクタでのチャネル推定値だけでチャネル補償することは容易でない。このため、Ｓ−ＳＣＨの検出確率が劣化してしまうおそれがある。各セルが同一のＳ−ＳＣＨを５ｍｓ毎に送信する場合、そのような干渉は５ｍｓ毎に生じ、移動局におけるＳ−ＳＣＨの検出確率が低下してしまうかもしれない。
【００２２】
そこで、本発明の課題は、セルサーチにおけるセル検出確率を向上させることができるユーザ装置及びセルサーチ方法を提供することにある。
【課題を解決するための手段】
【００２３】
上記課題を解決するため、本発明のユーザ装置は、
複数のセクタを含むセルを複数個含む移動通信システムで使用されるユーザ装置であって、
同期チャネルを含む信号を受信する手段と、
前記同期チャネルから一次同期チャネル及び二次同期チャネルを抽出し、セルサーチを行う手段と、
前記セルサーチにおける時間方向の平均化時間を設定する条件に基づいて、前記セルサーチにおける相関検出時間を制御する手段と
を備え、
前記条件には、セルサーチ情報、基地局運用情報、及びセルサーチ段階情報の少なくとも１つが含まれる。
【００２４】
本発明のセルサーチ方法は、
複数のセクタを含むセルを複数個含む移動通信システムで使用されるユーザ装置におけるセルサーチ方法であって、
同期チャネルを含む信号を受信するステップと、
セルサーチにおける時間方向の平均化時間を設定する条件に基づいて、前記セルサーチにおける相関検出時間を制御するステップと、
前記制御するステップにおける制御に従って、前記同期チャネルから一次同期チャネル及び二次同期チャネルを抽出し、セルサーチを行うステップと
を有し、
前記条件には、セルサーチ情報、基地局運用情報、及びセルサーチ段階情報の少なくとも１つが含まれる。
【発明の効果】
【００２５】
本発明の実施例によれば、セルサーチにおけるセル検出確率を向上させることができるユーザ装置及びセルサーチ方法を実現できる。
【発明を実施するための最良の形態】
【００２６】
以下、本発明の実施例を、図面を参照しつつ説明する。実施例を説明するための全図において、同一機能を有するものは同一符号を用い、繰り返しの説明は省略する。
【実施例１】
【００２７】
＜システム＞
図３を参照しながら、本発明の実施例に係る移動局及び基地局装置を有する無線通信システムについて説明する。
【００２８】
無線通信システム１０００は、例えばＥｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムである。無線通信システム１０００は、基地局装置（ｅＮＢ：  ｅＮｏｄｅ  Ｂ）２００ｍ（２００１、２００２、２００３、・・・、２００ｍ、ｍはｍ＞０の整数）と、基地局装置２００ｍと通信する複数の移動局１００ｎ（１００１、１００２、１００３、・・・１００ｎ、ｎはｎ＞０の整数）とを備える。基地局装置２００は、上位局、例えばアクセスゲートウェイ装置３００と接続され、アクセスゲートウェイ装置３００は、コアネットワーク４００と接続される。移動局１００ｎはセル５０ｋ（５０１、５０２、・・・、５０ｋ、ｋはｋ＞０の整数）のいずれかにおいて基地局装置２００ｍとＥｖｏｌｖｅｄ  ＵＴＲＡ  ａｎｄ  ＵＴＲＡＮにより通信を行う。
ここで、上記移動局１００ｎには、基地局装置２００ｍのいずれかと通信チャネルを確立し、通信状態にあるものと、基地局２００ｍのいずれとも通信チャネルを確立しておらず、無通信状態にあるものが混在するものとする。
【００２９】
基地局装置２００ｍは、同期信号を送信する。移動局１００ｎは、セル５０ｋ（５０１、５０２、５０３、・・・５０ｋ、ｋはｋ＞０の整数）のいずれかに位置し、電源立ち上げ時、あるいは、通信中の間欠受信時等において、上記同期信号に基づいて、自局にとって無線品質が良好なセルを検出するセルサーチを行う。すなわち、移動局１００ｎは、同期信号を用いてシンボルタイミングとフレームタイミングとを検出し、かつ、セルID（セルIDから生成されるセル固有のスクランブルコード）またはセルＩＤの集合（以下、セルＩＤグループと呼ぶ）などのセル固有の制御情報の検出を行う。
【００３０】
ここで、セルサーチは、移動局１００ｎが通信状態にある場合と無通信状態にある場合の両方で行われる。例えば、通信状態におけるセルサーチとしては、同じ周波数のセルを検出するためのセルサーチや異なる周波数のセルを検出するためのセルサーチ等がある。また、無線通信状態におけるセルサーチとしては、例えば、電源立ち上げ時のセルサーチや待ち受け時のセルサーチ等がある。
【００３１】
以下、基地局装置２００ｍ（２００１、２００２、２００３、・・・２００ｍ）については、同一の構成、機能、状態を有するので、以下では特段の断りがない限り基地局２００ｍとして説明を進める。以下、移動局１００ｎ（１００１、１００２、１００３、・・・１００ｎ）については、同一の構成、機能、状態を有するので、以下では特段の断りがない限り移動局１００ｎとして説明を進める。以下、セル５０ｋ（５０１、５０２、５０３、・・・５０ｋ）については、同一の構成、機能、状態を有するので、以下では特段の断りがない限りセル５０ｋとして説明を進める。
【００３２】
無線通信システム１０００は、無線アクセス方式として、下りリンクについてはＯＦＤＭ（直交周波数分割多元接続）、上りリンクについてはＳＣ−ＦＤＭＡ（シングルキャリア−周波数分割多元接続）が適用される。上述したように、ＯＦＤＭは、周波数帯域を複数の狭い周波数帯域（サブキャリア）に分割し、各周波数帯上にデータを載せて伝送を行う方式である。ＳＣ−ＦＤＭＡは、周波数帯域を分割し、複数の端末間で異なる周波数帯域を用いて伝送することで、端末間の干渉を低減することができる伝送方式である。
【００３３】
ここで、Ｅｖｏｌｖｅｄ  ＵＴＲＡ  ａｎｄ  ＵＴＲＡＮにおける通信チャネルについて説明する。
【００３４】
下りリンクについては、各移動局１００ｎで共有して使用される物理下りリンク共有チャネル（ＰＤＳＣＨ：  Ｐｈｙｓｉｃａｌ  Ｄｏｗｎｌｉｎｋ  Ｓｈａｒｅｄ  Ｃｈａｎｎｅｌ）と、ＬＴＥ用の下り制御チャネルとが用いられる。下りリンクでは、ＬＴＥ用の下り制御チャネルにより、物理下りリンク共有チャネルにマッピングされる移動局の情報やトランスポートフォーマットの情報、物理上りリンク共有チャネルにマッピングされる移動局の情報やトランスポートフォーマットの情報、物理上りリンク共有チャネルの送達確認情報などが通知され、物理下りリンク共有チャネルによりユーザデータが伝送される。
【００３５】
また、下りリンクにおいて、基地局装置２００ｍは、移動局１００ｎがセルサーチを行うための同期信号を送信する。
【００３６】
上りリンクについては、各移動局１００ｎで共有して使用される物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）と、ＬＴＥ用の上り制御チャネルとが用いられる。尚、上り制御チャネルには、物理上りリンク共有チャネルと時間多重されるチャネルと、周波数多重されるチャネルの２種類がある。
【００３７】
上りリンクでは、ＬＴＥ用の上り制御チャネルにより、下りリンクにおける物理共有チャネルのスケジューリング、適応変復調・符号化（ＡＭＣ：  Ａｄａｐｔｉｖｅ  Ｍｏｄｕｌａｔｉｏｎ  ａｎｄ  Ｃｏｄｉｎｇ）に用いるための下りリンクの品質情報（ＣＱＩ：  Ｃｈａｎｎｅｌ  Ｑｕａｌｉｔｙ  Ｉｎｄｉｃａｔｏｒ）及び下りリンクの物理共有チャネルの送達確認情報（ＨＡＲＱ  ＡＣＫ  ｉｎｆｏｒｍａｔｉｏｎ）が伝送される。また、物理上りリンク共有チャネルによりユーザデータが伝送される。
【００３８】
下りリンク伝送では、図４に示すように、１無線フレーム(Ｒａｄｉｏ  Ｆｒａｍｅ)は１０ｍｓであり、１Ｒａｄｉｏ  Ｆｒａｍｅ内に１０個のサブフレームが存在する。また、図５に示すように、１サブフレームは、２個のスロットで構成され、１個のスロットは、ショートCP(Ｓｈｏｒｔ  ＣＰ)を用いる場合に７個のＯＦＤＭシンボル（図５における上図）、ロングCP(Ｌｏｎｇ  ＣＰ)を用いる場合に６個のＯＦＤＭシンボル（図５における下図）で構成される。
【００３９】
＜基地局装置ｅＮＢ＞
次に、本発明の実施例に係る基地局装置２００ｍについて、図６を参照して説明する。
【００４０】
本実施例に係る基地局装置２００ｍは、送受信アンテナ２０２と、アンプ部２０４と、送受信部２０６と、ベースバンド信号処理部２０８と、呼処理部２１０と、伝送路インターフェース２１２とを備える。
【００４１】
下りリンクにより基地局装置２００ｍから移動局１００ｎに送信されるパケットデータは、基地局装置２００ｍの上位に位置する上位局、例えばアクセスゲートウェイ装置３００から伝送路インターフェース２１２を介してベースバンド信号処理部２０８に入力される。
【００４２】
ベースバンド信号処理部２０８では、パケットデータの分割・結合、ＲＬＣ（ｒａｄｉｏ  ｌｉｎｋ  ｃｏｎｔｒｏｌ）再送制御の送信処理などのＲＬＣ  ｌａｙｅｒの送信処理、ＭＡＣ再送制御、例えばＨＡＲＱ（Ｈｙｂｒｉｄ  Ａｕｔｏｍａｔｉｃ  Ｒｅｐｅａｔ  ｒｅＱｕｅｓｔ）の送信処理、スケジューリング、伝送フォーマット選択、チャネル符号化、逆高速フーリエ変換（ＩＦＦＴ：  Ｉｎｖｅｒｓｅ  Ｆａｓｔ  Ｆｏｕｒｉｅｒ  Ｔｒａｎｓｆｏｒｍ）処理が行われて、送受信部２０６に転送される。また、ベースバンド信号処理部２０８では、後述するように、同期信号の生成処理が行われる。上記同期信号は、上記パケットデータに多重されて送受信部２０６に転送される。
【００４３】
送受信部２０６では、ベースバンド信号処理部２０８から出力されたベースバンド信号を無線周波数帯に変換する周波数変換処理が行われ、その後、アンプ部２０４で増幅されて送受信アンテナ２０２より送信される。ここで、ベースバンド信号とは、上述したパケットデータや同期信号等である。
【００４４】
一方、上りリンクにより移動局１００ｎから基地局装置２００ｍに送信されるデータについては、送受信アンテナ２０２で受信された無線周波数信号がアンプ部２０４で増幅され、送受信部２０６で周波数変換されてベースバンド信号に変換され、ベースバンド信号処理部２０８に入力される。
【００４５】
ベースバンド信号処理部２０８では、入力されたベースバンド信号に対して、ＦＦＴ処理、誤り訂正復号、ＭＡＣ再送制御の受信処理、ＲＬＣ  ｌａｙｅｒの受信処理がなされ、伝送路インターフェース２１２を介してアクセスゲートウェイ装置３００に転送される。
【００４６】
呼処理部２１０は、無線基地局２００の状態管理やリソース割り当てを行う。
【００４７】
次に、ベースバンド信号処理部２０８の構成について、図７を参照して説明する。尚、本発明に係る実施形態は、主に下りリンクに係るため、同図においては、下りリンクの処理に係る部分を示し、上りリンクの処理に係る部分は省略する。
【００４８】
ベースバンド信号処理部２０８は、ＲＬＣ処理部２０８１と、ＭＡＣ（Ｍｅｄｉｕｍ  Ａｃｃｅｓｓ  Ｃｏｎｔｒｏｌ）処理部２０８２と、符号化部２０８３と、データ変調部２０８４と、多重部２０８５と、直並列変換部２０８６と、乗算器２０８７と、乗算器２０８８と、スクランブルコード生成部２０８９と、振幅調整部２０８１０と、合成部２０８１１と、ＩＦＦＴ（ＩＤＦＴ）２０８１２と、ＣＰ付加部２０８１３と、同期信号生成部２０９とを具備する。
【００４９】
伝送路インターフェース部２１２より受け取った下りリンクのパケットデータの送信データ系列は、ＲＬＣ処理部２０８１において、分割・結合、ＲＬＣ再送制御の送信処理等のＲＬＣ  ｌａｙｅｒの送信処理が行われ、ＭＡＣ処理部２０８２において、ＨＡＲＱ（Ｈｙｂｒｉｄ  Ａｕｔｏｍａｔｉｃ  Ｒｅｐｅａｔ  ｒｅＱｕｅｓｔ）の送信処理や、スケジューリング、伝送フォーマットの選択、周波数リソースの割り当て等のＭＡＣ  ｌａｙｅｒの送信処理が行われた後、符号化部２０８３において符号化され、データ変調部２０８４においてデータ変調される。そして、データ変調された送信データ系列に、多重部２０８５においてパイロットシンボルが多重され、上記パイロットシンボルが多重された送信データ系列は、直並列変換部２０８６において直並列変換されて周波数軸上のＮ個の情報シンボル系列に変換され、周波数軸上に並べられる。ここで、上記パイロットシンボルは、例えば、下りリンクリファレンスシグナル（ＤＬ−ＲＳ：Ｄｏｎｗｌｉｎｋ  Ｒｅｆｅｒｅｎｃｅ  Ｓｉｇｎａｌ）である。上記周波数軸上に並べられたＮ個の情報シンボル系列に対して、Ｎ個の乗算器２０８７それぞれにおいて、スクランブルコード生成部２０８９が出力するスクランブルコードが周波数方向に乗算され、さらに、スクランブルコードが乗算されたシンボル系列に対して、Ｎ個の乗算部２０８８それぞれにおいて、振幅調整部２０８１０の出力する振幅調節系列値が乗算され、合成部２０８１１に出力される。合成部２０８１１は、スクランブルコードおよび振幅調整系列値が乗算された系列長Ｎのシンボル系列に、同期信号生成部２０９において作成された同期信号を、Ｎ個のサブキャリアのうちの該当する特定のサブキャリアに多重する。
【００５０】
後述するように、同期信号が送信されるサブフレーム番号およびスロット番号は、同期信号制御部２０９１によって決定される。同期信号が送信されるサブフレーム番号およびスロット番号においては、同期信号生成部２０９において作成された同期信号が、合成部２０８１１で他の信号（下りリンクのパケットデータにスクランブルコードおよび振幅調整系列値が乗算されたシンボル系列）と合成される。同期信号が送信されないサブフレーム番号およびスロット番号においては、同期信号生成部２０９において作成された同期信号は多重されない。この場合、下りリンクのパケットデータにスクランブルコードおよび振幅調整系列値の乗算された系列長Ｎのシンボル系列のみが逆フーリエ変換部２０８１２に与えられる。同期信号が多重されるサブキャリアは、例えば、全帯域幅の中心を含む帯域に位置する。また、同期信号が多重されるサブキャリアの帯域幅は、例えば１．２５ＭＨｚである。
【００５１】
逆フーリエ変換部（ＩＦＦＴ部）２０８１２は、Ｎ個のシンボルを直交マルチキャリア信号に変換する。ＣＰ付加部２０８１３は、フーリエ対象時間毎にこのマルチキャリア信号に、ＣＰを挿入する。尚、上記ＣＰの長さ（ＣＰ長）には、Ｌｏｎｇ  ＣＰとＳｈｏｒｔ  ＣＰの２種類があり、セル毎にどちらのＣＰ長を用いるかが選択される。
【００５２】
同期信号生成部２０９における同期信号の生成処理について説明する。尚、上記同期信号は、第１の同期信号（以下、一次同期チャネル、プライマリ同期チャネル又はＰ−ＳＣＨと呼ぶ）と、第２の同期信号（以下、二次同期チャネル、セカンダリ同期チャネル又はＳ−ＳＣＨと呼ぶ）とから構成される。同期信号生成部２０９は、同期信号制御部２０９１と、同期信号発生部２０９２と、データ変調部２０９３と、直並列変換部２０９４と、乗算器２０９５と、振幅調整部２０９６とを具備する。同期信号発生部２０９２は、Ｐ−ＳＣＨ生成部２５２と、Ｓ−ＳＣＨ生成部２５４と、乗算部２５６と、スクランブル系列生成部２５８と、多重部２６０とを具備する。同期信号制御部２０９１は、同期信号発生部２０９２のＰ−ＳＣＨ生成部２５２、Ｓ−ＳＣＨ生成部２５４、スクランブル系列生成部２５８及び多重部２６０と接続される。
【００５３】
同期信号制御部２０９１は、当該基地局装置２００ｍがＥｖｏｌｖｅｄ  ＵＴＲＡ  ａｎｄ  ＵＴＲＡＮを用いた通信を提供するセルのセルＩＤあるいはセルＩＤグループに基づき、Ｐ−ＳＣＨの系列番号及びＳ−ＳＣＨの系列番号と、Ｐ−ＳＣＨおよびＳ−ＳＣＨが送信されるサブフレーム番号およびスロット番号とを決定する。移動局は、例えば、セルＩＤグループを特定した後、パイロット信号、すなわち、Ｒｅｆｅｒｅｎｃｅ  Ｓｉｇｎａｌの信号パターンに基づいてセルを特定してもよい。この場合、例えば、Ｒｅｆｅｒｅｎｃｅ  Ｓｉｇｎａｌの信号パターンとセルのＩＤが予め規定されていることになる。あるいは、移動局は、例えば、Ｐ−ＳＣＨおよびＳ−ＳＣＨの復調・復号に基づいて、セルを特定してもよい。この場合、例えば、Ｐ−ＳＣＨ系列番号とセルＩＤ情報が予め規定されていることになる。Ｐ−ＳＣＨでは、例えばセクタ毎に異なる系列が選択される。例えば、３セクタ構成のセルのＰ−ＳＣＨ系列は、３つの異なる系列を含んで構成されるセットから選択される。
【００５４】
そして、同期信号制御部２０９１は、上記Ｐ−ＳＣＨの系列番号をＰ−ＳＣＨ生成部２５２に通知し、上記Ｓ−ＳＣＨの系列番号をＳ−ＳＣＨ生成部２５４に通知する。また、同期信号制御部２０９１は、上記Ｐ−ＳＣＨおよびＳ−ＳＣＨが送信されるサブフレーム番号およびスロット番号を、同期信号送信タイミング情報として多重部２６０に通知する。
【００５５】
例えば、無線通信システム１０００は、非特許文献５および図８に示すように、Ｐ−ＳＣＨおよびＳ−ＳＣＨが送信されるサブフレーム番号およびスロット番号を定義する。この例においては、複数種類、例えば３種類のＰ−ＳＣＨ系列が用いられ、サブフレーム番号＃１とサブフレーム番号＃６において同期信号が送信される。また、この例においては、Ｐ−ＳＣＨがスロットの最後のＯＦＤＭシンボルにマッピングされることにより、移動局において、Ｌｏｎｇ  ＣＰが用いられているか、Ｓｈｏｒｔ  ＣＰが用いられているかに関係なく、Ｐ−ＳＣＨの復調を行うことが可能となる。その理由は、スロットの最後のＯＦＤＭシンボルにおいては、Ｌｏｎｇ  ＣＰ適用時の６番目のＯＦＤＭシンボルとＳｈｏｒｔ  ＣＰ適用時の７番目のＯＦＤＭシンボルが時間的に一致しているからである。言い換えれば、ショートCPでもロングCPでもスロットの先頭及び末尾のタイミングは一致しているからである。この時、無線通信システムは、Ｐ−ＳＣＨ系列番号とセルＩＤ情報とを予め関連づけてもよい。このような関連付けが無線通信システム１０００により行われることにより、各基地局装置２００ｍの同期信号制御部２０９１は、当該基地局装置２００ｍがＥｖｏｌｖｅｄ  ＵＴＲＡ  ａｎｄ  ＵＴＲＡＮを用いた通信を提供するセルのセルＩＤに基づき、Ｐ−ＳＣＨの系列番号を決定することができる。
【００５６】
一般に、基地局装置２００ｍが提供する通信エリアは、２つ以上のエリアに分割されている。これはセクタ化と呼ばれる。基地局装置２００ｍが複数のセクタを有する場合には上記セルＩＤまたはセルＩＤグループは、基地局装置２００ｍの全てのセクタを合わせたエリアのＩＤとして使われてもよいし、基地局装置２００ｍの各セクタのＩＤとして使われてもよい。セルＩＤまたはセルＩＤグループが、基地局装置２００ｍの全てのセクタを合わせたエリアのＩＤとして使われる場合には、上記同期信号系列と、上記同期信号が送信されるサブフレーム番号およびスロット番号との組み合わせは、基地局装置２００ｍ毎に設定される。セルＩＤまたはセルＩＤグループが、基地局装置２００ｍの各セクタのＩＤとして使われる場合には、上記同期信号系列と、上記同期信号が送信されるサブフレーム番号およびスロット番号との組み合わせは、基地局装置２００ｍのセクタ毎に設定される。
【００５７】
Ｐ−ＳＣＨ系列としては，Ｚａｄｏｆｆ−Ｃｈｕ系列（非特許文献１０）などのＣＡＺＡＣ（Ｃｏｎｓｔａｎｔ  Ａｍｐｌｉｔｕｄｅ  Ｚｅｒｏ  ＡｕｔｏＣｏｒｒｅｌａｔｉｏｎ  ｓｅｑｕｅｎｃｅ）系列、Ｆｒａｎｋ系列（非特許文献１１）、Ｍｏｄｕｌａｔｅｄ  Ｆｒａｎｋ系列（非特許文献１１）、Ｇｏｌａｙ  Ｃｏｍｐｌｅｍｅｎｔａｒｙ系列（非特許文献１２）、Ｄｏｕｂｌｅ  Ｒｅｐｅｔｉｔｉｖｅ  Ｇｏｌａｙ  Ｃｏｍｐｌｅｍｅｎｔａｒｙ  ｓｅｑｕｅｎｃe（非特許文献１３）、ＰＮ（Ｐｓｅｕｄｏ  Ｎｏｉｓｅ）系列などを用いるようにしてもよい。
【００５８】
また、Ｓ−ＳＣＨ系列としては、非直交系列又は直交系列であるスクランブル系列を直交系列に又は非直交系列に乗算した２階層型のＳ−ＳＣＨ系列（非特許文献１４）を用いてもよいし、複数の直交系列又は非直交系列を周波数領域で交互に配置するＳ−ＳＣＨ系列を用いてもよいし、複数の直交系列又は非直交系列に非直交系列又は直交系列であるスクランブル系列を乗算したＳ−ＳＣＨ系列（非特許文献６）を用いてもよいし，複数の直交系列又は非直交系列を連続するサブキャリアに配置するＳ−ＳＣＨ系列（非特許文献７）を用いてもよいし、複数の直交系列または非直交系列を連続するサブキャリアに配置し、非直交系列又は直交系列であるスクランブル系列を乗算するＳ−ＳＣＨ系列を用いてもよい。直交系列には、ウォルシュアダマール（Ｗａｌｓｈ−Ｈａｄａｍａｒｄ）系列、位相回転直交系列、直交Ｍ系列を用いてもよいし、非直交系列には、ＧＣＬ系列などのカザック（ＣＡＺＡＣ）系列、ゴレイ（Ｇｏｌａｙ）系列、Ｇｏｌａｙ  Ｃｏｍｐｌｅｍｅｎｔａｒｙ  ｓｅｑｕｅｎｃe（非特許文献１２）、Ｍ系列（非特許文献１５）及びＰＮ系列などを用いるようにしてもよい。
【００５９】
Ｐ−ＳＣＨ生成部２５２及びＳ−ＳＣＨ生成部２５４は、同期信号制御部２０９１により通知された同期信号系列情報および同期信号送信タイミング情報に基づき、それぞれＰ−ＳＣＨ系列及びＳ−ＳＣＨ系列を生成する。
【００６０】
例えば、同期信号発生部２０９２は、Ｓ−ＳＣＨを生成する場合に、Ｓ−ＳＣＨで通知するセル固有情報を階層化してもよい。セル固有の情報とは、セルＩＤグループ、無線フレームタイミング及び送信アンテナ数情報のうち少なくとも１つの情報が含まれる。ここで、無線通信システム１０００は、移動局がセルサーチを行う際に、周辺セル情報などの事前情報として、階層化された一部の情報を通知してもよい。例えば、事前情報として、セルＩＤグループを通知してもよいし、セルＩＤグループの一部を通知してもよいし、無線フレームタイミングを通知してもよいし、送信アンテナ数情報を通知してもよいし、セルＩＤグループの一部、セルＩＤグループ、無線フレームタイミング及び送信アンテナ数情報を組み合わせた情報のうちいずれか１つの情報が含まれていてもよい。このようにすることにより、移動局がセルサーチを行う際に検出する系列数を減少させることができる。
【００６１】
具体的には、例えば、図９Ａに示すように、セルＩＤグループを複数種類の系列、例えばそれぞれ３１系列長のショートコードを含む系列を含む２種類の系列に分ける。図中縦軸の「第１ショートコード」は、Ｓ−ＳＣＨ系列において、例えば系列長３１の２種類のショートコードを用いた場合の第１ショートコードの系列インデックスを示す。図中横軸の「第２ショートコード」は第２ショートコードの系列インデックスを示す。何れの系列インデックスも３１個用意されているが、上述したように第１ショートコードおよび第２ショートコードに割り当てる系列インデックス数は必要に応じて限定されてもよい。
【００６２】
図示されているように、（フレーム）タイミング＃１で使用される第１のショートコードの系列インデックスは、第１の数値範囲（０−１３）から選択される。このタイミング＃１で使用される第２のショートコードの系列インデックスは、第２の数値範囲（２３−３０）から選択される。タイミング＃１から５ｍｓ後のタイミング＃２で使用される第１のショートコードの系列インデックスは、第２の数値範囲（２３−３０）から選択される。このタイミング＃２で使用される第２のショートコードの系列インデックスは、第１の数値範囲（０−１３）から選択される。
【００６３】
このように第１及び第２のタイミングで使用する系列インデックスの数値範囲が互いに重複しないようにすると、第１及び第２ショートコード各々をサーチする際のコードの候補数が少なく、速やかにサーチできることに加えて、第１ショートコードの系列インデックスを検出した時点でそれがタイミング＃１に対応することが速やかに判明する等の点で有利である。
【００６４】
図９ＢはＳ−ＳＣＨ系列の別の決定方法を説明するための図である。図示の例では、第１および第２のショートコードの系列インデックスは同じ数値範囲（０−３０）から選択される。説明の便宜上、第１，２ショートコードの系列インデックスをｍ，ｎとする。図示の例では、例えば、ｍ−ｎ≦Δ又はｎ−ｍ≦Δを満たすように、ｍ，ｎの組み合わせが選択される。ｍ，ｎは０−３０の整数であり、Δは２９以下の整数である。図９Ａの場合より広い数値範囲の中から系列インデックスが選択されるので、セカンダリ同期チャネルに使用される符号の組み合わせの自由度が多くなり、これは、衝突を回避しやすくする等の観点から好ましい。
【００６５】
図１０はＳ−ＳＣＨ系列の別の決定方法を説明するための図である。図示の例でも第１および第２のショートコードの系列インデックスは同じ数値範囲（０−３０）から選択される。但し、図９Ａ，９Ｂのような簡易な規則性はなく、同じ組み合わせが生じないように、第１及び第２ショートコードが様々に組み合わせられている。
【００６６】
Ｐ−ＳＣＨ生成部２５２により生成されたＰ−ＳＣＨ系列は多重部２６０に入力され、Ｓ−ＳＣＨ生成部２５４により生成されたＳ−ＳＣＨ系列は乗算部２５６に入力される。同期信号制御部２０９１は、スクランブル系列を示す情報をスクランブル系列生成部２５８に入力する。例えば、同期信号制御部２０９１は、全セルで共通のスクランブルコードを示す情報をスクランブル系列生成部２５８に入力する。スクランブル系列生成部２５８は、同期信号制御部２０９１により入力されたスクランブル系列を示す情報に基づいて、スクランブル系列を生成し乗算部２５６に入力する。乗算部２５６では、Ｓ−ＳＣＨに対してスクランブル系列が乗算され、スクランブル系列が乗算されたＳ−ＳＣＨ系列は多重部２６０に入力される。スクランブル系列長としては、２種類のショートコードにまたがってスクランブル（拡散）をしてもよいし、２種類のショートコードそれぞれに対して、スクランブルを行ってもよい。複数種類のスクランブル系列によって、例えば、Ｓ−ＳＣＨ系列へのシステム情報、例えばフレームタイミング、セルＩＤグループ、及び送信アンテナ数情報等のいずれかを通知するようにしてもよい。このようにすることにより、特に１．２５ＭＨｚのシステムにおいて、Ｓ−ＳＣＨ系列のＰＡＰＲを低減することができる。
【００６７】
しかし、隣接セル及び／又は同一基地局内のセルが同一のＳ−ＳＣＨ系列を用いている場合に、隣接セルからの干渉により、ユーザ装置におけるＳ−ＳＣＨの検出確率が劣化する。このため、セルサーチに時間がかかり、セルサーチ時間特性が劣化する。隣接セルからの干渉からの干渉をランダム化することにより、この問題を解決する観点からは、同期信号制御部２０９１は、複数種類のスクランブルコードの中からセル毎に異なるスクランブル系列を示す情報をスクランブル系列生成部２５８に入力するのが好ましい。この場合、Ｓ−ＳＣＨのスクランブルコードとして、セル毎に異なる、すなわち複数種類のスクランブル系列を用いるようにしてもよいし、基地局毎に異なるスクランブル系列を用いるようにしてもよい。この場合、スクランブル系列生成部２５８は、同期信号制御部２０９１により入力されたスクランブル系列を示す情報に基づいて、スクランブル系列を生成し乗算部２５６に入力する。ここで，生成するスクランブル系列は、Ｐ−ＳＣＨ系列番号に対応付けされたＰ−ＳＣＨ系列固有のスクランブル系列を生成してもよい。また、例えば、非特許文献１６にあるように、２種類のショートコードの内，片方のショートコードの系列番号固有のスクランブル系列を生成してもよい。乗算部２５６では、Ｓ−ＳＣＨ系列に対して、スクランブル系列生成部２５８により入力されたスクランブル系列が乗算され、多重部２６０に入力される。スクランブル系列長としては、２種類のショートコードにまたがってスクランブルをしてもよいし、２種類のショートコードそれぞれに対して、スクランブルを行ってもよい。例えば、乗算するスクランブル系列は、全セル固有のスクランブル系列を用いてもよいし、Ｐ−ＳＣＨ系列固有のスクランブル系列を用いてもよいし、複数種類のスクランブル系列を用いてもよいし、２種類のショートコードの内，片方のショートコードの系列番号固有のスクランブル系列を用いてもよい。また、例えば、２種類のショートコードの内、片方のショートコードに，全セル共通のスクランブルを乗算し、もう片方のショートコードに対しＰ−ＳＣＨ系列固有のスクランブル系列を乗算するようにしてもよい。また、例えば、２種類のショートコードの内，片方のショートコードに，Ｐ−ＳＣＨ系列固有のスクランブル系列を乗算し、もう片方のショートコードに対し、片方のショートコード系列番号固有のスクランブル系列を乗算するようにしてもよい。複数種類のスクランブル系列によって、例えば、Ｓ−ＳＣＨ系列へのシステム情報、例えばフレームタイミング、セルＩＤグループ、及び送信アンテナ数情報等のいずれかを通知するようにしてもよい。多重部２６０は、Ｐ−ＳＣＨ系列とスクランブル系列が乗算されたＳ−ＳＣＨ系列とを多重して、データ変調部２０９３に入力する。
【００６８】
同期信号発生部２０９２で生成された同期信号系列は、データ変調部２０９３においてデータ変調され、さらに、直並列変換部２０９４において直並列変換されて周波数軸上のＮＳＣＨ個のシンボル系列に変換される。上記ＮＳＣＨ個のシンボル信号に対して、乗算器２０９５において、振幅調節部２０９６により入力される振幅調節系列値が乗算され、合成部２０８１１に出力される。
【００６９】
＜ユーザ装置ＵＥ＞
次に、本実施例に係る移動局１００ｎについて、図１１を参照して説明する。
【００７０】
移動局１００ｎは、基本波形相関部１０２と、同期信号レプリカ生成部１０４と、タイミング検出部１０６と、同一基地局装置のセル番号検出部１０８と、Ｓ−ＳＣＨ相関部１１０と、Ｓ−ＳＣＨ検出部１１２と、制御部１１４とを備える。
【００７１】
制御部１１４には、セルサーチ条件指定信号が入力される。セルサーチ条件指定信号には、セルサーチ情報が含まれ、セルサーチ情報には、初期セルサーチ又は周辺セルサーチの情報が含まれる。初期セルサーチは電源投入時に最初に行われるセルサーチであり、周辺セルサーチはハンドオーバ先のセルを検出するために行われるセルサーチである。
【００７２】
移動局１００ｎは、アンテナで受信したマルチキャリア信号を基本波形相関部１０２に入力する。一方、同期信号レプリカ生成部１０４は、予め設定されている基本波形の同期信号レプリカを生成し、基本波形相関部１０２に順次に入力する。例えば、同期信号レプリカ生成部１０４は、３つの異なる系列を含んで構成される同期信号のレプリカを生成し、基本波形相関部１０２に入力する。基本波形相関部１０２は、制御部１１４による時間領域の平均化処理の制御により、受信したマルチキャリア信号と、同期信号レプリカ生成部１０４により入力された３つの異なる系列を含んで構成される同期信号のレプリカとの相関検出を行う。
【００７３】
制御部１１４は、入力されたセルサーチ情報に応じて、該セルサーチ情報が初期セルサーチを示す情報であるか周辺セルサーチを示す情報であるかを判断する。セルサーチにおける検出精度を向上させる観点からは、検出条件が厳しい方の検出時間を長くする方が好ましい。例えば、初期セルサーチでは受信電力が１番高いセルを検出する必要があるのに対し、周辺セルサーチでは受信電力が１番高いセル以外のセル、例えば２番目に平均受信電力の高いセルを検出する必要がある。このため、特に、基地局間同期運用における周辺セルサーチでは、検出すべきハンドオーバ先のセルの受信信号に対して受信電力の大きな在圏セルからの干渉が大きく、且つタイミングの同期した同一のＰ−ＳＣＨが衝突するため、周辺セルサーチの方の検出条件が厳しい。そこで、本実施例においては、制御部１１４は、入力されたセルサーチ情報が周辺セルサーチを示す情報である場合に、時間方向の平均化処理時間を、入力されたセルサーチ情報が初期セルサーチを示す情報である場合よりも長くする制御を行う。例えば、複数の、例えば１０個のサブフレームを含む１無線フレーム（１０ｍｓ）を単位として、相関検出時間を長くするようにしてもよいし、１個のＰ−ＳＣＨが含まれる５サブフレーム、言い換えれば１無線フレームの半分（５ｍｓ）を単位として相関検出時間を長くするようにしてもよい。
【００７４】
タイミング検出部１１０は、相関値からＰ−ＳＣＨのタイミングおよびＰ−ＳＣＨ系列番号を検出し、同一基地局装置のセル番号検出部１０８に入力する。
【００７５】
同一基地局装置のセル番号検出部１０８は、タイミング検出部１１０により入力されたＰ−ＳＣＨ系列番号に基づいて、自ユーザ装置１００ｎが在圏するセル番号（セルＩＤ）を検出する。そして、同一基地局装置のセル番号検出部１０８は、検出されたセル番号とともにスクランブル系列が乗算されたＳ−ＳＣＨ系列をＳ−ＳＣＨ相関部１１０に入力する。
【００７６】
Ｓ−ＳＣＨ相関部１１０は、制御部１１４による時間領域の平均化処理の制御により、同一基地局のセル番号検出部１０８により入力されたスクランブル系列が乗算されたＳ−ＳＣＨ系列と、セルＩＤグループとの相関を求める。同一基地局内のセルは同一のセルＩＤグループに属する。直交Ｓ−ＳＣＨ系列に対して、Ｐ−ＳＣＨ固有のスクランブル系列が乗算されている場合には、Ｐ−ＳＣＨ系列の検出により、同一基地局内のセル番号は既知となる。例えば、Ｓ−ＳＣＨ相関部１１０は、周波数軸方向において、スクランブル系列が乗算されたＳ−ＳＣＨ系列と、セルＩＤグループとの相関を求める。制御部１１４は、入力されたセルサーチ情報が周辺セルサーチを示す情報である場合に、時間方向の平均化処理時間を、入力されたセルサーチ情報が初期セルサーチを示す情報である場合よりも長くする制御を行う。例えば、複数の、例えば１０個のサブフレームを含む１無線フレーム（１０ｍｓ）を単位として、相関検出時間を長くするようにしてもよいし、１個のＰ−ＳＣＨが含まれる５サブフレーム、言い換えれば１無線フレームの半分（５ｍｓ）を単位として相関検出時間を長くするようにしてもよい。
【００７７】
Ｓ−ＳＣＨ検出部１１２は、Ｓ−ＳＣＨ相関部１１０における相関検出結果に基づいて、Ｓ−ＳＣＨを検出する。例えば、Ｓ−ＳＣＨ検出部１１２は、セルＩＤグループと無線フレームタイミングにより決定される複数のＳ−ＳＣＨ系列の中から検出を行う。具体的には、１７０種類のセルＩＤグループが存在し、２種類の無線フレームタイミングが存在する場合には、１７０×２＝３４０種類のＳ−ＳＣＨの中から、Ｓ−ＳＣＨの検出が行われる。
【００７８】
また、Ｐ−ＳＣＨ系列の検出により既知となる同一基地局内のセル番号を考慮しない場合には、例えば、Ｓ−ＳＣＨ検出部１１２は、セルＩＤグループと無線フレームタイミングとＰ−ＳＣＨ固有スクランブルにより決定される複数のＳ−ＳＣＨ系列の中から検出を行うようにしてもよい。具体的には、１７０種類のセルＩＤグループが存在し、２種類の無線フレームタイミングが存在し、３種類のＰ−ＳＣＨ固有スクランブルが存在する場合には、１７０×２×３＝１０２０種類のＳ−ＳＣＨの中から、Ｓ−ＳＣＨの検出が行われる。さらに、第１のショートコード固有の第２のショートコードスクランブル系列により決定される複数のＳ−ＳＣＨ系列の中から検出を行うようにしてもよい。この場合、Ｘ種類の第１のショートコード固有の第２のショートコードスクランブル系列により決定される複数のＳ−ＳＣＨ系列（Ｘは、２から３１までの任意の整数）が存在する場合、１７０×２×３×Ｘ＝１０２０Ｘ種類のＳ−ＳＣＨの中から、Ｓ−ＳＣＨの検出が行われる。
【００７９】
具体的に説明する。
【００８０】
下りリンクの信号に含まれるＰ−ＳＣＨとＳ−ＳＣＨによりセルサーチが行われる。尚、上述した、無線通信システム１０００が定義するＰ−ＳＣＨ系列およびＳ−ＳＣＨ系列に基づいて、セルサーチが行われる。すなわち、Ｐ−ＳＣＨ系列およびＳ−ＳＣＨ系列を検出することにより、セルＩＤまたはセルＩＤグループを検出する。そして、セルＩＤを検出した後、セルＩＤと関連づけられるスクランブリングコードを用いて報知情報、例えばプライマリ報知チャネルの受信を行い、セルサーチ処理を終了する。無線通信システム１０００が定義するＰ−ＳＣＨ系列および同期信号送信パターンの詳細は、基地局装置２００ｍにおける説明と同一であるため省略する。
【００８１】
例えば、無線通信システム１０００が、図８における同期信号送信パターンを定義し、かつ、Ｐ−ＳＣＨ系列番号とセルＩＤ情報とが予め関連づけられている場合には、タイミング検出部１１０は、同期チャネルのタイミングおよびＰ−ＳＣＨ系列番号の検出を行う。また、Ｓ−ＳＣＨ検出部１１２は、例えば、Ｓ−ＳＣＨ系列に乗算されたスクランブル系列によりデスクランブルを行い、Ｓ−ＳＣＨに含まれる情報要素を検出することにより、セル固有情報を検出することが可能となる。
【００８２】
＜同期チャネルの送受信＞
次に、本実施例に係る同期チャネル送信方法について説明する。
【００８３】
Ｓ−ＳＣＨ生成部２５４は、複数の同期信号の系列を選択する。例えば、無線フレームタイミング＃１及び＃２それぞれにおいて、１６個のショートコード含む系列長が３２の系列（ファーストレイヤーセルＩＤグループインジケータ＃１）と１６個のショートコードを含む系列長が３２の系列（セカンドレイヤーセルＩＤグループインジケータ＃２）の２種類の系列を選択する。次に、Ｓ−ＳＣＨ生成部２５４は、移動局に予め通知する事前情報を生成するようにしてもよい。例えば、セルＩＤグループを特定する情報の一部であるファーストレイヤーセルＩＤグループを示す事前情報を生成するようにしてもよい。事前情報が生成された場合には、該事前情報が送信される。
【００８４】
また、Ｓ−ＳＣＨ生成部２５４は、選択した複数の同期信号の系列により、セカンダリ同期チャネルを生成する。例えば、セルＩＤグループを特定する情報の一部であるファーストレイヤーセルＩＤグループとともに、セルＩＤグループを特定する情報の一部であるセカンドレイヤーセルＩＤグループを示すセカンダリ同期チャネルを生成する。同期信号制御部２０９１は、スクランブル系列を示す情報をスクランブル系列生成部２５８に入力する。例えば、同期信号制御部２０９１は、全セルで共通のスクランブルコードを示す情報をスクランブル系列生成部２５８に入力する。また，例えば、同期信号制御部２０９１は、複数種類のスクランブルコードを示す情報をスクランブル系列生成部２５８に入力する。セカンダリ同期チャネルは、乗算部２５６に入力され、乗算部２５６においてスクランブル生成部２５８により生成されたスクランブル系列が乗算され、送信される。
【００８５】
移動局は、事前情報とセカンダリ同期チャネルにより、セル固有情報を検出する。
【００８６】
次に、本実施例に係る無線通信システム１０００におけるセルサーチ方法について、図１２を参照して説明する。
【００８７】
第１ステップとして、移動局はプライマリ同期チャネル系列と受信信号との相関検出を行い、プライマリ同期チャネルのキャリア周波数及びタイミングを検出する（Ｓ１１０２、Ｓ１１０４）。例えば、受信したマルチキャリア信号と、３つの異なる系列を含んで構成される同期信号のレプリカとの相関検出が行われる。この結果、プライマリ同期チャネル系列番号が検出される（ステップＳ１１０６）。ここで、ユーザ装置１００ｎは、周辺セルサーチを行う場合には、相関検出処理における時間方向の平均化処理時間を、初期セルサーチを行う場合よりも長くする制御を行う。例えば、１無線フレームに含まれるＰ−ＳＣＨを単位として、相関検出時間を長くするようにしてもよいし、１無線フレームを単位として相関検出時間を長くするようにしてもよい。この第１ステップで、移動局は信号の位相差を求め、周波数オフセット補償を行ってもよい。
【００８８】
プライマリ同期チャネルのシンボルタイミング、キャリア周波数及びプライマリ同期チャネル系列番号がわかると、セカンダリ同期チャネルの受信タイミング、キャリア周波数もわかる。スクランブル系列が乗算されたセカンダリ同期チャネルに対してデスクランブルが行われる。
【００８９】
次に、セカンダリ同期チャネルで使用されるセル固有のセカンダリ同期チャネル系列から、無線フレームタイミングを検出する（Ｓ１１０８）。典型的には１無線フレームに複数（例えば２つ）の同期チャネルが配置されているため、タイミング検出後にフレームタイミングを検出する必要がある。また、セル固有のセカンダリ同期チャネル系列から、セルＩＤグループを検出する（Ｓ１１１０）。ここで、ユーザ装置１００ｎは、周辺セルサーチを行う場合には、フレームタイミングを検出する際に行われる相関処理における時間方向の平均化処理時間を、初期セルサーチを行う場合よりも長くする制御を行う。例えば、複数の、例えば１０個のサブフレームを含む１無線フレーム（１０ｍｓ）を単位として、相関検出時間を長くするようにしてもよいし、１個のＰ−ＳＣＨが含まれる５サブフレーム、言い換えれば１無線フレームの半分（５ｍｓ）を単位として相関検出時間を長くするようにしてもよい。
【００９０】
ここで、例えば、セルＩＤグループの一部または全てを事前情報として移動局に前もって通知することにより、検出するべき固有情報の候補数を低減できるため、検出精度を向上させることができる。その結果、特性を改善できる。事前情報としては、例えば、無線フレームタイミングを通知してもよいし、送信アンテナ数情報を通知してもよい。
【００９１】
基地局が複数の送信アンテナを有する場合には、基地局が送信アンテナ数情報をセカンダリ同期チャネルで移動局に通知し、第２ステップで移動局が送信アンテナ数情報（ＭＩＭＯ（Multiple Input Multiple Output）アンテナ数情報）を検出してもよい。特に、基地局が報知チャネルを送信するために用いられる送信アンテナ数情報を検出してもよい。
【００９２】
次に、第２ステップで検出されたセルＩＤグループと第１ステップで検出されたプライマリ同期チャネル系列番号を用いてセルＩＤを検出する（Ｓ１１１２）。
【００９３】
本実施例によれば、セルサーチ情報に基づいて、セルサーチにおける時間領域の平均化時間を制御することにより、セルサーチの時間特性を改善できる。
【実施例２】
【００９４】
本発明の他の実施例に係るユーザ装置１００ｎについて説明する。
【００９５】
本実施例に係るユーザ装置は、上述した実施例と、セルサーチ条件指定信号として、基地局運用情報が入力される点で異なる。基地局運用情報には、基地局間同期であるか基地局間非同期であるかを示す情報が含まれる。
【００９６】
制御部１１４は、入力された基地局運用情報に応じて、該基地局運用情報が基地局間同期を示す情報であるか基地局間非同期を示す情報であるかを判断する。セルサーチにおける検出精度を向上させる観点からは、検出条件が厳しい方の検出時間を長くする方が好ましい。例えば、初期セルサーチでは受信電力が１番高いセルを検出する必要があるのに対し、周辺セルサーチでは受信電力が１番高いセル以外のセル、例えば２番目に平均受信電力の高いセルを検出する必要がある。このため、特に、基地局間同期運用における周辺セルサーチでは、検出すべきハンドオーバ先のセルの受信信号に対して受信電力の大きな在圏セルからの干渉が大きく、且つタイミングの同期した同一のＰ−ＳＣＨが衝突するため、基地局間同期運用の方の検出条件が厳しい。そこで、本実施例においては、制御部１１４は、入力された基地局運用情報が基地局間同期を示す情報である場合に、時間方向の平均化処理時間を、入力された基地局運用情報が基地局間非同期を示す情報である場合よりも長くする制御を行う。例えば、複数の、例えば１０個のサブフレームを含む１無線フレーム（１０ｍｓ）を単位として、相関検出時間を長くするようにしてもよいし、１個のＰ−ＳＣＨが含まれる５サブフレーム、言い換えれば１無線フレームの半分（５ｍｓ）を単位として相関検出時間を長くするようにしてもよい。
【００９７】
本実施例によれば、基地局運用情報に基づいて、セルサーチにおける時間領域の平均化時間を制御することにより、セルサーチの時間特性を改善できる。
【実施例３】
【００９８】
本発明の他の実施例に係るユーザ装置１００ｎについて説明する。
【００９９】
本実施例に係るユーザ装置は、上述した実施例と、セルサーチ条件指定信号として、セルサーチ段階情報が入力される点で異なる。セルサーチ段階情報には、第１段階セルサーチであるか第２段階セルサーチであるかを示す情報が含まれる。ここで、第１段階セルサーチとは、基本波形相関部１０２において行われる受信したマルチキャリア信号と、同期信号レプリカ生成部１０４により入力された３つの異なる系列を含んで構成される同期信号のレプリカとの相関検出処理を示す。また、第２段階セルサーチとは、Ｓ−ＳＣＨ相関部１１０において行われる同一基地局のセル番号検出部１０８により入力されたスクランブル系列が乗算されたＳ−ＳＣＨ系列と、セルＩＤグループとの相関を求める処理を示す。
【０１００】
制御部１１４は、入力されたセルサーチ段階情報に応じて、該セルサーチ段階情報が第１段階セルサーチを示す情報であるか第２段階セルサーチを示す情報であるかを判断する。そして、制御部１１４は、入力されたセルサーチ段階情報が第１段階セルサーチを示す情報であるか第２段階セルサーチを示す情報であるかに応じて、時間方向の平均化処理時間を制御する。入力されたセルサーチ段階情報が第１段階セルサーチを示す情報である場合に、時間方向の平均化処理時間を、第２段階セルサーチを示す情報である場合よりも長くするようにしてもよいし、入力されたセルサーチ段階情報が第２段階セルサーチを示す情報である場合に、時間方向の平均化処理時間を、第１段階セルサーチを示す情報である場合よりも長くするようにしてもよい。例えば、複数の、例えば１０個のサブフレームを含む１無線フレーム（１０ｍｓ）を単位として、相関検出時間を長くするようにしてもよいし、１個のＰ−ＳＣＨが含まれる５サブフレーム、言い換えれば１無線フレームの半分（５ｍｓ）を単位として相関検出時間を長くするようにしてもよい。
【０１０１】
本実施例では、第１段階セルサーチにおいて、受信したマルチキャリア信号と、同期信号レプリカ生成部１０４により入力された３つの異なる系列を含んで構成される同期信号のレプリカとの相関検出処理が行われる場合について説明したが、３種類のＰ−ＳＣＨの系列番号を１又は２種類に限定し、該限定されたＰ−ＳＣＨ系列番号に対応する系列と、受信したマルチキャリア信号との相関検出処理を行うようにしてもよい。
【０１０２】
本実施例によれば、セルサーチ段階情報に基づいて、セルサーチにおける時間領域の平均化時間を制御することにより、セルサーチの時間特性を改善できる。
【実施例４】
【０１０３】
本発明の他の実施例に係るユーザ装置１００ｎについて説明する。
【０１０４】
本実施例に係るユーザ装置は、上述した実施例と、セルサーチ条件指定信号として、セルサーチ試行回数情報が入力される点で異なる。
【０１０５】
制御部１１４は、入力されたセルサーチ試行回数情報に応じて、該セルサーチ試行回数に応じて、時間方向の平均化処理時間を制御する。例えば、セルサーチ試行回数が増加するに従って、時間方向の平均化処理時間を長くするようにしてもよい。このようにすることのより、１回目のセルサーチに失敗した場合においても、次回のセルサーチを成功させる確率を向上させることができる。例えば、複数の、例えば１０個のサブフレームを含む１無線フレーム（１０ｍｓ）を単位として、相関検出時間を長くするようにしてもよいし、１個のＰ−ＳＣＨが含まれる５サブフレーム、言い換えれば１無線フレームの半分（５ｍｓ）を単位として相関検出時間を長くするようにしてもよい。
【０１０６】
本実施例によれば、セルサーチ試行回数情報に基づいて、セルサーチにおける時間領域の平均化時間を制御することにより、セルサーチの時間特性を改善できる。
【実施例５】
【０１０７】
本発明の他の実施例に係るユーザ装置１００ｎについて説明する。
【０１０８】
本実施例に係るユーザ装置は、上述した実施例と、セルサーチ条件指定信号として、受信ＳＩＮＲ情報が入力される点で異なる。
【０１０９】
制御部１１４は、入力された受信ＳＩＮＲ情報に応じて、時間方向の平均化処理時間を制御する。例えば、受信ＳＩＮＲ情報に基づいて、自ユーザ装置１００ｎがセル端に位置するか基地局装置２００ｍ近傍に位置するかを判断する。制御部１１４は、該判断結果に基づいて、自ユーザ装置１００ｎがセル端に位置すると判断される場合には、時間方向の平均化処理時間を、自ユーザ装置１００ｎが基地局装置２００ｍ近傍に位置すると判断される場合より長くする制御を行う。具体的には、制御部１１４は、入力された受信ＳＩＮＲ情報に基づいて、該受信ＳＩＮＲが予め決定される所定の閾値未満である場合には、時間方向の平均化処理時間を、該受信ＳＩＮＲが予め決定される所定の閾値以上である場合より長くする制御を行う。この閾値は、ユーザ装置１００ｎがセル端に位置するか、基地局装置２００ｍの近傍に位置するかに基づいて決定される。例えば、複数の、例えば１０個のサブフレームを含む１無線フレーム（１０ｍｓ）を単位として、相関検出時間を長くするようにしてもよいし、１個のＰ−ＳＣＨが含まれる５サブフレーム、言い換えれば１無線フレームの半分（５ｍｓ）を単位として相関検出時間を長くするようにしてもよい。
【０１１０】
本実施例によれば、受信ＳＩＮＲ情報に基づいて、セルサーチにおける時間領域の平均化時間を制御することにより、セルサーチの時間特性を改善できる。
【実施例６】
【０１１１】
本発明の他の実施例に係るユーザ装置１００ｎについて説明する。
【０１１２】
本実施例に係るユーザ装置は、上述した実施例と、セルサーチ条件指定信号として、最大ドップラー周波数が入力される点で異なる。
【０１１３】
制御部１１４は、入力された最大ドップラー周波数情報に応じて、時間方向の平均化処理時間を制御する。例えば、最大ドップラー周波数情報に基づいて、自ユーザ装置１００ｎの移動速度を推定する。そして、制御部１１４は推定された自ユーザ装置１００ｎの移動速度に基づいて、自ユーザ装置１００ｎの移動速度が予め設定される所定の閾値以上である場合には、時間方向の平均化処理時間を、自ユーザ装置１００ｎの移動速度が予め設定される所定の閾値未満である場合であると判断される場合より長くする制御を行う。具体的には、制御部１１４は、入力された最大ドップラー周波数情報に基づいて、該最大ドップラー周波数が予め決定される所定の閾値以上である場合には、時間方向の平均化処理時間を、該最大ドップラー周波数が予め決定される所定の閾値未満である場合より長くする制御を行う。この閾値は、ユーザ装置１００ｎが高速移動しているか否かに基づいて決定される。例えば、複数の、例えば１０個のサブフレームを含む１無線フレーム（１０ｍｓ）を単位として、相関検出時間を長くするようにしてもよいし、１個のＰ−ＳＣＨが含まれる５サブフレーム、言い換えれば１無線フレームの半分（５ｍｓ）を単位として相関検出時間を長くするようにしてもよい。
【０１１４】
本実施例によれば、最大ドップラー周波数に基づいて、セルサーチにおける時間領域の平均化時間を制御することにより、セルサーチの時間特性を改善できる。
【実施例７】
【０１１５】
本発明の他の実施例に係るユーザ装置１００ｎについて説明する。
【０１１６】
本実施例に係るユーザ装置は、上述した実施例と、セルサーチ条件指定信号として、遅延スプレッド情報が入力される点で異なる。
【０１１７】
制御部１１４は、入力された遅延スプレッド情報に応じて、時間方向の平均化処理時間を制御する。例えば、遅延スプレッド情報に基づいて、該遅延スプレッドが予め設定される所定の閾値以上である場合には、時間方向の平均化処理時間を、該遅延スプレッドが予め設定される所定の閾値未満である場合であると判断される場合より長くする制御を行う。例えば、複数の、例えば１０個のサブフレームを含む１無線フレーム（１０ｍｓ）を単位として、相関検出時間を長くするようにしてもよいし、１個のＰ−ＳＣＨが含まれる５サブフレーム、言い換えれば１無線フレームの半分（５ｍｓ）を単位として相関検出時間を長くするようにしてもよい。
【０１１８】
本実施例によれば、遅延スプレッドに基づいて、セルサーチにおける時間領域の平均化時間を制御することにより、セルサーチの時間特性を改善できる。
【実施例８】
【０１１９】
本発明の他の実施例に係るユーザ装置１００ｎについて説明する。
【０１２０】
本実施例に係るユーザ装置は、上述した実施例と、セルサーチ条件指定信号として、周辺セルリスト情報が入力される点で異なる。
【０１２１】
制御部１１４は、隣接セルリスト情報の入力の有無に従って、時間方向の平均化処理時間を制御する。例えば、隣接セルリスト情報が入力された場合には、時間方向の平均化処理時間を、隣接セルリスト情報が入力されていない場合より長くする制御を行う。例えば、複数の、例えば１０個のサブフレームを含む１無線フレーム（１０ｍｓ）を単位として、相関検出時間を長くするようにしてもよいし、１個のＰ−ＳＣＨが含まれる５サブフレーム、言い換えれば１無線フレームの半分（５ｍｓ）を単位として相関検出時間を長くするようにしてもよい。
【０１２２】
本実施例によれば、隣接セルリスト情報の有無に基づいて、セルサーチにおける時間領域の平均化時間を制御することにより、セルサーチの時間特性を改善できる。
【実施例９】
【０１２３】
次に、本発明の他の実施例に係る移動局及び基地局装置を有する無線通信システムについて説明する。本実施例に係る無線通信システム、基地局装置及び移動局の構成は、図３、図６、図７及び図１１を参照して説明した構成と同様である。
【０１２４】
本実施例に係る基地局装置２００では、同期信号制御部２０９１は、Ｐ−ＳＣＨ系列番号に基づいて、Ｐ−ＳＣＨ系列固有のスクランブル系列を示す情報をスクランブル系列生成部２５８に入力する。この場合、スクランブル系列生成部２５８は、同期信号制御部２０９１により入力されたスクランブル系列を示す情報に基づいて、スクランブル系列を生成し乗算部２５６に入力する。乗算部２５６では、Ｓ−ＳＣＨ系列に対してＰ−ＳＣＨ系列固有のスクランブル系列が乗算され、多重部２６０に入力される。この場合、Ｐ−ＳＣＨ系列番号とスクランブル系列番号が予め明示的に対応付けられている。この点、Ｐ−ＳＣＨとスクランブル系列番号の間にそのような明示的な対応付けがなされていなかった第１−８実施例の場合と異なる。Ｐ−ＳＣＨではセクタ毎に異なる系列が選択されるので、Ｓ−ＳＣＨに対して異なるスクランブル系列が乗算される。例えば、３セクタ構成のセルのＰ−ＳＣＨ系列は３つの異なる系列を含んで構成されるセットから選択されるので、Ｓ−ＳＣＨ系列に乗算されるスクランブル系列も３つの異なるスクランブル系列を含んで構成されるセットから選択される。
【０１２５】
移動局１００ｎのタイミング検出部１０６は、基本波形相関部１０２において求められる相関値からＰ−ＳＣＨのタイミングおよびＰ−ＳＣＨ系列番号を検出する。Ｐ−ＳＣＨ系列番号が検出されると、Ｐ−ＳＣＨ系列固有のスクランブル系列が乗算されたＳ−ＳＣＨ系列のデスクランブルが行われる。そして検出されたＰ−ＳＣＨのタイミングに基づいて、Ｐ−ＳＣＨをリファレンス信号としてＳ−ＳＣＨ検出部１１２においてＳ−ＳＣＨを検出する。
【０１２６】
また、セルサーチ方法では、図１２を参照して説明したフローにおいて、ステップＳ１１０６において、プライマリ同期チャネル系列番号が検出される。この検出されたプライマリ同期チャネル系列番号により、セカンダリ同期チャネルに乗算されているプライマリ同期チャネル固有のスクランブル系列もわかる。プライマリ同期チャネル固有のスクランブル系列が乗算されたセカンダリ同期チャネルに対して、デスクランブルが行われる。その後、ステップＳ１１０８となる。
【０１２７】
このようにすることにより、隣接セル及び／又は同一基地局内のセルが同一のＳ−ＳＣＨ系列を用いている場合に、隣接セルからの干渉をランダム化することが可能となり、Ｓ−ＳＣＨの検出確率を改善することが可能となる。その結果、セルサーチに要する時間を短縮でき、セルサーチ時間特性を改善可能となる。
【０１２８】
また、Ｓ−ＳＣＨの検出において、Ｐ−ＳＣＨ系列に基づいてチャネル推定を行う場合に、セル毎のチャネル状態を考慮してチャネル推定を行うことができ、チャネル推定精度を改善できる。チャネル推定の精度を向上させることができることにより、Ｓ−ＳＣＨの検出精度を向上させることができる。
【０１２９】
また、本実施例では、Ｓ−ＳＣＨ系列に対してＰ−ＳＣＨ固有のスクランブル系列が適用（乗算）されている。第１−８実施例とは異なり、Ｐ−ＳＣＨ系列とスクランブル系列との間に所定の対応関係が存在し、その対応関係は移動局で既知である。移動局は、セルサーチの初めの段階（第１段階）においてＳＣＨのシンボルタイミング検出を行うが、このとき、同時にＰ−ＳＣＨ系列番号の検出も行う。Ｐ−ＳＣＨ系列番号とＳ−ＳＣＨに乗算されるスクランブル系列番号とは１対１対応であるため、検出されたＰ−ＳＣＨ系列番号に基づいて、Ｓ−ＳＣＨスクランブル系列番号を第１−８実施例の場合よりも速やかに特定できる。このため、Ｓ−ＳＣＨスクランブル系列番号を複数種類、例えば３種類検出する必要が無い。従って、Ｓ―ＳＣＨ系列の検出において、演算量を増やすことなく、３種類のＳ−ＳＣＨスクランブル系列を生成することが可能となる。
【０１３０】
また、プライマリ報知チャネル（P-BCH:  Primary-Broadcast  Channel）の検出において、演算量を増やすことなく、５１０種類のスクランブル系列を生成することが可能となる。上述したように、Ｓ−ＳＣＨ系列の検出において、演算量を増やすことなく、３種類のスクランブル系列を用いることが可能となる。図１３を参照して説明する。Ｐ−ＳＣＨは３種類のスクランブル系列を含み、スクランブリング処理は行われない。Ｓ−ＳＣＨはＰ−ＳＣＨ固有のスクランブル系列、例えば３種類のスクランブルコードによりスクランブリング処理が行われる。Ｐ−ＢＣＨはセル固有のスクランブル系列、例えば５１０種類のスクランブルコードによりスクランブリング処理が行われる。Ｓ−ＳＣＨ系列は、直交系列、例えば２種類のショートコードによって、１７０種類のセルＩＤグループ情報を通知する。そのため、Ｐ−ＢＣＨの復調において、（３種類のスクランブル系列）×（１７０種類のセルＩＤグループ情報）＝５１０種類のスクランブルコードを、演算量を増やすことなく生成することが可能となる。
【０１３１】
また、Ｐ−ＢＣＨの復調において、Ｓ−ＳＣＨ系列に基づいてチャネル推定を行う場合に、セル毎のチャネル状態を考慮してチャネル推定を行うことができチャネル推定精度を改善できる。チャネル推定の精度を向上させることができることにより、Ｐ−ＢＣＨの復調精度を向上させることができる。
【実施例１０】
【０１３２】
図１４は従来例、第１−９実施例及び以下に説明される第１０実施例の相違を説明するための図である。従来例では、セクタ１，２，３で一次同期チャネルＰ１，Ｐ２，Ｐ３がそれぞれＰ−ＳＣＨとして送信される。例えば、図のように１基地局あたりのセクタ数が３である場合、Ｐ−ＳＣＨはセクタ毎に異なるので、ユーザ装置は在圏セクタを判別でき、在圏セクタでのチャネル推定値を取得できる。この点は実施例でも同様である。従来例では、セル毎に異なる二次同期チャネルを示す情報（ＳＥｉ：ｉはセルを区別するパラメータ）が用意され、同一基地局に属するセクタは同じ二次同期チャネルＳＥｉを送信する。上述したように、隣接セクタで同じ信号が送信されることに起因して、セクタ境界近辺でＳ−ＳＣＨの検出確率が劣化するおそれがある。
【０１３３】
第１−９実施例では、二次同期チャネルを示す情報ＳＥｉにセクタ毎に異なるスクランブルコードＳＣｊが乗算される。ＳＥｉが全セクタで同じであっても、スクランブルコードＳＣｊがセクタ毎に異なれば、ＳＣ１×ＳＥｉ，ＳＣ２×ＳＥｉ，ＳＣ３×ＳＥｉは全て異なるコードになる。これにより、セクタ毎に異なるＳ−ＳＣＨを送信することができ、セクタ境界付近でもＳ−ＳＣＨを高精度に復調できる。第２実施例では、セクタ毎に異なる一次同期チャネルＰｉと、セクタ毎に異なるスクランブルコードＳＣｉとが予め対応付けられており、その対応関係はユーザ装置で既知である。これにより一次同期チャネルＰ−ＳＣＨの確認後、速やかにＳ−ＳＣＨを復調できるようになる。
【０１３４】
第１−９実施例ではスクランブルコードを使用するので、スクランブルコードの乗算される何らかのコード（ＳＥｉ）が存在しなければならない。しかしながら本発明ではそのような２種類のコード（ＳＣｉとＳＥｉ）の存在は必須ではない。本発明の第１０実施例では、セクタ毎に異なる一次同期チャネルＰ１，Ｐ２，Ｐ３各々に異なる生成多項式Q1(X)，Q2(X)，Q3(X)が対応付けられる。生成多項式Qi(X)は例えばX5+X2+1のような符号を生成するための多項式である。生成多項式で生成される系列は適切な如何なる系列でよいが、好ましくは線形帰還シフトレジスタ(LSFR)系列であり、より好ましくはM系列である。例えば、第1セクタの一次同期チャネルP1に対応する生成多項式Q1(X)が符号長３１のM系列を生成する多項式であったとする。この場合、第1セクタでは、生成多項式Q1(X)で生成可能な３１個の符号系列の内の何れか１つの符号系列を複数個組み合わせてS-SCHに使用される。同様に第２セクタでは、生成多項式Q2(X)で生成可能な３１個の符号系列の内の何れか１つの符号系列を複数個組み合わせてS-SCHに使用され、第３セクタでは、生成多項式Q3(X)で生成可能な３１個の符号系列の内の何れか１つの符号系列を複数個組み合わせてS-SCHに使用される。ユーザ装置は、一次同期チャネルP-SCHを特定することで在圏セクタを確認し、図１４右下に示されているような対応関係に基づいて在圏セクタで使用されている生成多項式(例えば、Q1(X))を特定する。そして、ユーザ装置はその生成多項式Q1(X)から導出可能な３１個の符号の内どれが実際にS-SCHとして使用されているかを受信信号と比較することで確認する。P-SCH(Pi)と生成多項式(Qi(X))とは１対１にしか対応しないので、ユーザ装置が在圏セクタを確認できれば、他のセクタで使用されている生成多項式から導出される符号は一切考慮しなくてよい。P-SCHの１つに対応する生成多項式から導出可能な符号だけを考慮すればよい。なお、説明の簡明化のため１つのセクタに１つの生成多項式しか対応しないように図示されているが、１つのセクタについて複数の生成多項式の組み合わせ１つが対応してもよい。この場合、別のセクタは複数の生成多項式の別の組み合わせに対応する。
【０１３５】
図１５は第１０実施例で使用される基地局装置の一部を示す。図示されている部分は、同期信号制御部２０９１及び同期信号発生部２０９２に関連する。図１５は概して図７に示されるものと同様であるが、本実施例ではスクランブルコードを利用しないので、スクランブル系列生成部２５８及び乗算部２５６は描かれていない。しかしながら、本実施例においても、スクランブルコードを使用することは可能である。例えば、全てのセクタで同一のスクランブルコードを使用する場合には、S-SCH生成部２５４において、スクランブルコードの乗算が行われる。また、非特許文献１６にあるように、S-SCH生成部２５４において、S-SCH系列における２種類のショートコードの内、第１のショートコードの系列番号に対応付けが行われたスクランブルコードを第２のショートコードに乗算するようにしてもよい。一次同期チャネルP-SCHと生成多項式Qi(X)との対応関係は、同期信号制御部２０９１で管理される。S-SCH生成部２５４は、同期信号制御部２０９１からの指示に従って二次同期チャネルを生成し、多重部２５０に入力する。本実施例ではS-SCH生成部２５４は、同期信号制御部２０９１により指定された生成多項式Qi(X)に基づいて符号を生成し、S-SCHとして実際に使用する符号を多重部２６０に入力する。以後そのS-SCHを含んだ同期チャネルがデータ変調部２０９３へ伝送され、説明済みの処理を経て無線送信される。
【０１３６】
尚、上述した第１−８実施例においては、サーチ条件指定信号として、セルサーチ情報、基地局運用情報、セルサーチ段階情報、セルサーチ試行回数情報、受信ＳＩＮＲ情報、最大ドップラー周波数、遅延スプレッド情報及び周辺セルリスト情報のいずれか１つが使用された場合について説明したが、１つに限らず複数の情報が使用され、該複数の情報に基づいて、セルサーチにおける時間方向の平均化処理時間を制御するようにしてもよい。例えば、セルサーチ情報と、基地局運用情報とが入力された場合には、該セルサーチ情報が周辺セルサーチを示す情報であり、基地局運用情報が基地局間同期を示す情報である場合に、他の場合、具体的には、該セルサーチ情報が初期セルサーチを示す情報であり、基地局運用情報が基地局間非同期を示す情報である場合よりも時間方向の平均化処理時間を長くする制御を行う。
【０１３７】
また、上述した第１−８実施例においては、複数の、例えば１０個のサブフレームを含む１無線フレーム（１０ｍｓ）を単位として、相関検出時間を長くする場合及び１個のＰ−ＳＣＨが含まれる５サブフレーム、言い換えれば１無線フレームの半分（５ｍｓ）を単位として相関検出時間を長くする場合について説明したが、さらに、より短い範囲に限定するようにしてもよいし、より長い範囲に拡大するようにしてもよい。
【０１３８】
尚、上述した実施例においては、Ｅｖｏｌｖｅｄ  ＵＴＲＡ  ａｎｄ  ＵＴＲＡＮ（別名：Ｌｏｎｇ  Ｔｅｒｍ  Ｅｖｏｌｕｔｉｏｎ，或いは，Ｓｕｐｅｒ  ３Ｇ）が適用されるシステムにおける例を記載したが、本発明に係る移動局装置、基地局装置及び同期チャネル送信方法は、下りリンクにおいて直交周波数分割多重ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式を用いる全てのシステムにおいて適用することが可能である。
【０１３９】
説明の便宜上、発明の理解を促すため具体的な数値例を用いて説明されるが、特に断りのない限り、それらの数値は単なる一例に過ぎず適切な如何なる値が使用されてよい。
【０１４０】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が包含される。
【図面の簡単な説明】
【０１４１】
【図１】Ｓ−ＳＣＨ系列のマッピング方法を示す説明図である。
【図２】Ｓ−ＳＣＨ系列のマッピング方法を示す説明図である。
【図３】本発明の一実施例に係る無線通信システムの構成を示すブロック図である。
【図４】無線フレーム構成を示す説明図である。
【図５】サブフレームの構成を示す説明図である。
【図６】本発明の一実施例に係る基地局装置を示す部分ブロック図である。
【図７】本発明の一実施例に係る基地局装置のベースバンド信号処理部を示すブロック図である。
【図８】同期信号送信パターンの定義の一例を示す説明図である。
【図９Ａ】Ｓ−ＳＣＨ系列の決定方法を説明するための図を示す。
【図９Ｂ】Ｓ−ＳＣＨ系列の別の決定方法を説明するための図を示す。
【図１０】Ｓ−ＳＣＨ系列の別の決定方法を説明するための図を示す。
【図１１】本発明の一実施例に係る移動局装置を示す部分ブロック図である。
【図１２】本発明の一実施例に係るセルサーチ方法を示すフロー図である。
【図１３】プライマリ報知チャネルにおけるスクランブルコードの生成方法を示す説明図である。
【図１４】ＳＣＨの送信方法を示す図である。
【図１５】同期信号生成部の変形例を示す図である。
【符号の説明】
【０１４２】
５０ｋ（５０１、５０２、５０３）  セル
１００ｎ（１００１、１００２、１００３、１００４、１００５）  移動局
１０２  基本波形相関部
１０４  同期信号レプリカ生成部
１０６  タイミング検出部
１０８  同一基地局装置のセル番号検出部
１１０  Ｓ−ＳＣＨ相関部
１１２  Ｓ−ＳＣＨ検出部
１１４  制御部
２００ｍ（２００１、２００２、２００３）  基地局装置
２０２  送受信アンテナ
２０４  アンプ部
２０６  送受信部
２０８  ベースバンド信号処理部
２０９  同期信号生成部
２１０  呼処理部
２１２  伝送路インターフェース
２０８１  ＲＬＣ処理部
２０８２  ＭＡＣ制御部処理部
２０８３  符号化部
２０８４  データ変調部
２０８５  多重部
２０８６  直並列変換部
２０８７  乗算器
２０８８  乗算器
２０８９  スクランブルコード生成部
２０８１０  振幅調整部
２０８１１  合成部
２０８１２  逆フーリエ変換部
２０８１３  ＣＰ付加部
２０９１  同期信号制御部
２０９２  同期信号発生部
２０９３  データ変調部
２０９４  直並列変換部
２０９５  乗算器
２０９６  振幅調整部
２５２  Ｐ−ＳＣＨ生成部
２５４  Ｓ−ＳＣＨ生成部
２５６  乗算部
２５８  スクランブル系列生成部
２６０  多重部
３００  アクセスゲートウェイ装置
４００  コアネットワーク
１０００  無線通信システム
【図１】
0005106969.tif 000002
【図２】
0005106969.tif 000003
【図３】
0005106969.tif 000004
【図４】
0005106969.tif 000005
【図５】
0005106969.tif 000006
【図６】
0005106969.tif 000007
【図７】
0005106969.tif 000008
【図８】
0005106969.tif 000009
【図９Ａ】
0005106969.tif 000010
【図９Ｂ】
0005106969.tif 000011
【図１０】
0005106969.tif 000012
【図１１】
0005106969.tif 000013
【図１２】
0005106969.tif 000014
【図１３】
0005106969.tif 000015
【図１４】
0005106969.tif 000016
【図１５】
0005106969.tif 000017